【手続補正書】
【提出日】平成21年10月6日(2009.10.6)
【手続補正１】
【補正対象書類名】特許請求の範囲
【補正対象項目名】全文
【補正方法】変更
【補正の内容】
【特許請求の範囲】
【請求項１】
複数個の垂直に間隔を空けて配置された一方向に傾斜したトレイ及び複数個の垂直に間隔を空けて配置された二方向に傾斜したトレイを含んでなり、前記一方向トレイの傾斜が下方に向って増加している反応器。
【請求項２】
前記二方向トレイの傾斜が下方に向って増加している請求項１に記載の反応器。
【請求項３】
前記一方向トレイの少なくとも一部が前記二方向トレイの少なくとも一部の上方に配置されている請求項１に記載の反応器。
【請求項４】
前記一方向トレイの隣接するトレイが反対方向に傾斜している請求項１に記載の反応器。
【請求項５】
前記二方向トレイが、交互にルーフトレイ及びトラフトレイを含み、前記ルーフトレイが、一対の下方向に広がっているルーフ部材を含み、前記トラフトレイが、一対の下方向に収束しているトラフ部材を含む請求項１に記載の反応器。
【請求項６】
前記複数個の一方向トレイが、第一の方向に於いて前後に傾斜している一方向トレイの上方グループ並びに第二の方向に於いて前後に傾斜している一方向トレイの下方グループを含み、前記第一の方向及び第二の方向が、互いに対して実質的に垂直である請求項１に記載の反応器。
【請求項７】
前記一方向トレイの傾斜が少なくとも２度まで変化し、そして前記二方向トレイの傾斜が少なくとも４度まで変化する請求項１に記載の反応器。
【請求項８】
前記一方向トレイの少なくとも一部が前記主部材に結合し、前記上方に向いた傾斜面から上方に伸びている堰を含む請求項７に記載の反応器。
【請求項９】
前記一方向トレイの全部の少なくとも１０％が前記堰を設け、前記堰が３〜１２インチの範囲内の高さを有する請求項８に記載の反応器。
【請求項１０】
前記反応器が、複数個の垂直に間隔を空けて配置された傾斜したトレイを含んでなり、前記トレイの少なくとも１０％が、前記反応媒体の少なくとも一部を、その上を流れて、直ぐ下に配置されている次のトレイの方に通過させるために、上方に伸びている、少なくとも２．５インチの高さを有する堰を含む反応媒体を処理する反応器。
【請求項１１】
前記堰が３〜１２インチの範囲内の高さを有する請求項１０に記載の反応器。
【請求項１２】
前記トレイが反対方向に傾斜している複数個の一方向トレイを含み、そして前記トレイの傾斜がトレイからトレイへ下方に向って増加している請求項１０に記載の反応器。
【請求項１３】
（ａ）反応媒体を、複数個の垂直に間隔を空けて配置された傾斜したトレイを含む重合反応器中に、導入する工程、（ｂ）前記反応媒体を、前記重合反応器内で、前記垂直に間隔を空けて配置されたトレイを越えて、下方に流す工程（ここで、前記垂直に間隔を空けて配置されたトレイ上を流れる前記反応媒体の平均厚さは２．５インチ又はそれ以上に維持する）並びに（ｃ）前記重合反応器から前記反応媒体を取り出す工程（ここで、前記重合反応器から取り出される前記反応媒体の重合度（ＤＰ）は、前記重合反応器中に導入される前記反応媒体のＤＰよりも少なくとも２５％大きい）を含んでなる重合方法。
【請求項１４】
前記垂直に間隔を空けて配置されたトレイ上を流れる反応媒体の平均厚さを３〜１２インチの範囲内に維持する請求項１３に記載の重合方法。
【請求項１５】
前記反応媒体を、前記重合反応器内で、２５０〜３２５℃の範囲内の温度及び０．１〜４トルの範囲内の圧力で維持する請求項１３に記載の重合方法。
【請求項１６】
前記トレイが反対方向に傾斜している複数個の一方向トレイ及び複数個の二方向トレイを含む請求項１３に記載の重合方法。
【請求項１７】
前記二方向トレイが、交互にルーフトレイ及びトラフトレイを含み、前記ルーフトレイが、一対の下方向に広がっているルーフ部材を含み、前記トラフトレイが、一対の下方向に収束しているトラフ部材を含み、そして二方向トレイの傾斜が下方に向って増加している請求項１６に記載の重合方法。
【請求項１８】
（ａ）ポリエチレンテレフタレートを含む反応媒体を、複数個の一方向に傾斜したトレイ及び複数個の二方向に傾斜したトレイを含む反応器の上部セクション中に導入する工程、（ｂ）前記反応媒体を、反応器内で前記一方向トレイ及び二方向トレイを越えて、下方に流す工程並びに（ｃ）前記反応器の下部セクションから反応媒体を取り出す工程を含んでなり、前記一方向トレイの傾斜が下方向に増加しており、且つ前記二方向トレイの傾斜が下方向に増加している方法。
【請求項１９】
前記垂直に間隔を空けて配置されたトレイ上を流れる反応媒体の平均厚さが少なくとも２．５インチである請求項１８に記載の方法。
【請求項２０】
前記複数個の一方向トレイが一方向トレイの上部グループ及び一方向トレイの下部グループを含み、前記反応媒体が、第一の方向に於いて、一方向トレイの上部グループの上方を前後に流れ、前記反応媒体が、第二の方向に於いて、一方向トレイの下部グループの上方を前後に流れ、前記第一の方向及び第二の方向が互いに実質的に垂直である請求項１８に記載の方法。
【手続補正２】
【補正対象書類名】明細書
【補正対象項目名】００４０
【補正方法】変更
【補正の内容】
【００４０】
本発明を、その好ましい態様を特に参照して詳細に説明したが、その変形及び修正を、本発明の精神及び範囲内で実施できることが理解されるであろう。
以下に、本発明の態様を列挙する。
態様１．複数個の垂直に間隔を空けて配置された一方向に傾斜したトレイ及び複数個の垂直に間隔を空けて配置された二方向に傾斜したトレイを含んでなり、前記一方向トレイの傾斜が下方に向って増加している反応器。
態様２．前記二方向トレイの傾斜が下方に向って増加している態様１に記載の反応器。
態様３．前記一方向トレイの少なくとも一部が前記二方向トレイの少なくとも一部の上方に配置されている態様１に記載の反応器。
態様４．前記一方向トレイの全部が前記二方向トレイの全部の上方に配置されている態様１に記載の反応器。
態様５．前記一方向トレイの隣接するトレイが反対方向に傾斜している態様１に記載の反応器。
態様６．前記二方向トレイが、交互にルーフトレイ及びトラフトレイを含み、前記ルーフトレイが、一対の下方向に広がっているルーフ部材を含み、前記トラフトレイが、一対の下方向に収束しているトラフ部材を含む態様１に記載の反応器。
態様７．前記複数個の一方向トレイが、第一の方向に於いて前後に傾斜している一方向トレイの上方グループ並びに第二の方向に於いて前後に傾斜している一方向トレイの下方グループを含み、前記第一の方向及び第二の方向が、互いに対して実質的に垂直である態様１に記載の反応器。
態様８．前記反応器内の全てのトレイの少なくとも１０％が一方向トレイであり、そして前記反応器内の全てのトレイの少なくとも１０％が二方向トレイである態様１に記載の反応器。
態様９．前記一方向トレイの傾斜が少なくとも約２度まで変化し、そして前記二方向トレイの傾斜が少なくとも約４度まで変化する態様１に記載の反応器。
態様１０．前記一方向トレイが上方に向いた傾斜面を示す実質的に平坦な主部材を含み、前記主部材が実質的に開口を有さない態様１に記載の反応器。
態様１１．前記一方向トレイの少なくとも一部が前記主部材に結合し、前記上方に向いた傾斜面から上方に伸びている堰を含む、態様１０に記載の反応器。
態様１２．前記堰が少なくとも約２．５インチの高さを有する態様１１に記載の反応器。
態様１３．前記一方向トレイの全部の少なくとも１０％が前記堰を設け、前記堰が３〜１２インチの範囲内の高さを有する態様１１に記載の反応器。
態様１４．前記反応器が前記一方向トレイの下方で且つ前記二方向トレイの上方に配置された転移部材を含み、前記転移部材が分割ラインを規定し、開口の第一グループが前記分割ラインの一方の側に配置され、開口の第二グループが前記分割ラインの他方の側に配置され、前記開口の第一グループによって規定される累積開口面積が前記開口の第二グループによって規定される累積開口面積と実質的に同じである態様１に記載の反応器。
態様１５．前記転移部材が前記分割ラインの方向に収束する一対の下方に収束する壁を含み、前記開口の第一グループ及び第二グループが前記下方に収束する壁の底部付近に配置されている態様１４に記載の反応器。
態様１６．前記一方向トレイの少なくとも一部が後部端及び末端を表し、前記後部端及び末端が、前記一方向トレイの一般的に反対端部に配置され、前記トレイが前記後部端から前記末端の方に下方に向って傾斜しており、前記反応器が前記後部端に隣接して配置された後部間隙及び前記末端に隣接して配置された末端間隙を規定している態様１に記載の反応器。
態様１７．前記反応器が、複数個の垂直に間隔を空けて配置された傾斜したトレイを含んでなり、前記トレイの少なくとも幾らかに、前記反応媒体の少なくとも一部がその上を流れて、直ぐ下に配置されている次のトレイの方に通過する、上方に伸びている堰を含む反応媒体を処理する反応器。
態様１８．前記堰が少なくとも約２．５インチの高さを有する態様１７に記載の反応器。
態様１９．前記堰が３〜１２インチの範囲内の高さを有する態様１７に記載の反応器。
態様２０．前記トレイの全部の少なくとも１０％に前記堰が設けられている態様１７に記載の反応器。
態様２１．前記トレイが複数個の一方向トレイを含む態様１７に記載の反応器。
態様２２．前記一方向トレイの隣接するトレイが反対方向に傾斜している態様２１に記載の反応器。
態様２３．前記一方向トレイの傾斜が下方に向って増加している態様２２に記載の反応器。
態様２４．前記トレイが複数個の二方向トレイを含む態様２１に記載の反応器。
態様２５．前記二方向トレイが、交互にルーフトレイ及びトラフトレイを含み、前記ルーフトレイが、一対の下方向に広がっているルーフ部材が含まれており、前記トラフトレイが一対の下方向に収束しているトラフ部材を含む態様２４に記載の反応器。
態様２６．前記二方向トレイの傾斜が下方に向って増加している態様２５に記載の反応器。
態様２７．前記二方向トレイが前記一方向トレイの下方に配置されている態様２４に記載の反応器。
態様２８．前記反応器が、少なくとも５個の前記一方向トレイ及び少なくとも５個の前記二方向トレイを含む態様２４に記載の反応器。
態様２９．前記傾斜したトレイの少なくとも一部が後部端を表し、前記トレイが前記後部端から前記堰の方に下方向に傾斜し、前記反応器が前記後部端に隣接して配置される後部間隙を規定し、前記反応媒体の少なくとも一部が前記後部端を越えて前記後部間隙を通って下方に流れて、直ぐ下に配置されている次のトレイまで通過する態様１７に記載の反応器。
態様３０．（ａ）反応媒体を、複数個の垂直に間隔を空けて配置された傾斜したトレイを含む重合反応器中に、導入する工程、（ｂ）前記反応媒体を、前記重合反応器内で、前記垂直に間隔を空けて配置されたトレイを越えて、下方に流す工程（ここで、前記垂直に間隔を空けて配置されたトレイ上を流れる前記反応媒体の平均厚さは約２．５インチ又はそれ以上に維持する）並びに（ｃ）前記重合反応器から前記反応媒体を取り出す工程（ここで、前記重合反応器から取り出される前記反応媒体の重合度（ＤＰ）は、前記重合反応器中に導入される前記反応媒体のＤＰよりも少なくとも約２５％大きい）を含んでなる重合方法。
態様３１．前記垂直に間隔を空けて配置されたトレイ上を流れる反応媒体の平均厚さを約３〜１２インチの範囲内に維持する態様３０に記載の重合方法。
態様３２．前記重合反応器中に導入される反応媒体のＤＰが約２０〜約７５の範囲内である態様３０に記載の重合方法。
態様３３．前記重合反応器から取り出される反応媒体がポリエチレンテレフタレート（ＰＥＴ）を含む態様３０に記載の重合方法。
態様３４．前記反応媒体を、前記重合反応器内で、約２５０〜約３２５℃の範囲内の温度及び約０．１〜約４トルの範囲内の圧力で維持する態様３０に記載の重合方法。
態様３５．前記トレイの少なくとも幾らかが、前記反応媒体の少なくとも一部が、その上を流れて直ぐ下に配置されている次のトレイの方に通過する、上方に伸びている堰を含む態様３０に記載の重合方法。
態様３６．前記堰が少なくとも約２．５インチの高さを有する態様３５に記載の重合方法。
態様３７．前記トレイの全部の少なくとも１０％に前記堰が設けられている態様３５に記載の重合方法。
態様３８．前記トレイが複数個の一方向トレイを含む態様３０に記載の重合方法。
態様３９．前記一方向トレイの隣接するトレイが反対方向に傾斜している態様３８に記載の重合方法。
態様４０．前記一方向トレイの傾斜が下方向に増加している態様３９に記載の重合方法。
態様４１．前記トレイが複数個の二方向トレイを含む態様３８に記載の重合方法。
態様４２．前記二方向トレイが、交互にルーフトレイ及びトラフトレイを含み、前記ルーフトレイが、一対の下方向に広がっているルーフ部材を含み、前記トラフトレイが、一対の下方向に収束しているトラフ部材を含む態様４１に記載の重合方法。
態様４３．前記二方向トレイの傾斜が下方に向って増加している態様４２に記載の重合方法。
態様４４．前記二方向トレイが前記一方向トレイの下方に配置されている態様４１に記載の重合方法。
態様４５．前記反応器が少なくとも５個の前記一方向トレイ及び少なくとも５個の前記二方向トレイを含む態様４１に記載の重合方法。
態様４６．前記トレイが複数個の一方向トレイを含み、前記方法が、前記反応媒体の少なくとも一部を、前記一方向トレイの少なくとも１個の２つの一般的に反対の位置にある端部を越えて、同時に流すことを更に含む態様３０に記載の重合方法。
態様４７．前記一方向トレイの一般的に反対の位置にある端部が異なった高度で配置されている態様４６に記載の重合方法。
態様４８．（ａ）反応媒体を、複数個の一方向に傾斜したトレイ及び複数個の二方向に傾斜したトレイを含む反応器の上部セクション中に導入する工程、（ｂ）前記反応媒体を、反応器内で前記一方向トレイ及び二方向トレイを越えて、下方に流す工程並びに（ｃ）前記反応器の下部セクションから反応媒体を取り出す工程を含んでなる方法。
態様４９．前記垂直に間隔を空けて配置されたトレイ上を流れる反応媒体の平均厚さが少なくとも約２．５インチである態様４８に記載の方法。
態様５０．前記反応器から取り出される反応媒体の動的粘度が反応器の中に導入される反応媒体の動的粘度よりも少なくとも約５０％大きい態様４８に記載の方法。
態様５１．前記一方向トレイの傾斜が下方向に増加している態様４８に記載の方法。
態様５２．前記二方向トレイの傾斜が下方向に増加している態様５１に記載の方法。
態様５３．前記一方向トレイの少なくとも一部が二方向トレイの少なくとも一部の上方に配置されている態様４８に記載の方法。
態様５４．前記プロセスが、下方に流れる反応媒体を、反応媒体が二方向トレイの上を流れる前に、２個の実質的に等しい部分に分割することを含む態様５３に記載の方法。
態様５５．前記一方向トレイの隣接するトレイが反対方向に傾斜しており、前記二方向トレイが、交互にルーフトレイ及びトラフトレイを含み、前記ルーフトレイに、一対の下方向に分岐しているルーフ部材が含まれており、前記トラフトレイに、一対の下方向に広がっているトラフ部材を含む態様４８に記載の方法。
態様５６．前記複数個の一方向トレイが一方向トレイの上部グループ及び一方向トレイの下部グループを含み、前記反応媒体が、第一の方向に於いて、一方向トレイの上部グループの上方を前後に流れ、前記反応媒体が、第二の方向に於いて、一方向トレイの下部グループの上方を前後に流れ、前記第一の方向及び第二の方向が互いに実質的に垂直である態様４８に記載の方法。
態様５７．前記反応器内の全てのトレイの少なくとも１０％が一方向トレイであり、そして前記反応器内の全てのトレイの少なくとも１０％が二方向トレイである態様４８に記載の方法。
態様５８．前記一方向トレイの少なくとも一部が、前記反応媒体の少なくとも一部がその上を流れて、直ぐ下に配置されている次のトレイの方に通過させる、上方に伸びている堰を含む態様４８に記載の方法。
態様５９．前記堰が少なくとも約２．５インチの高さを有する態様５８に記載の方法。
態様６０．前記反応器中に導入される反応媒体の重合度（ＤＰ）が約２０〜約７５の範囲内であり、前記反応器から取り出される反応媒体のＤＰが反応器中に導入される反応媒体のＤＰよりも少なくとも約５０％大きい態様４８に記載の重合方法。
態様６１．前記反応器から取り出される反応媒体がポリエチレンテレフタレート（ＰＥＴ）を含む態様６０に記載の方法。
態様６２．前記反応媒体を、反応器内で、約２５０〜約３２５℃の範囲内の温度及び約０．１〜約４トルの範囲内の圧力に維持する態様４８に記載の方法。
態様６３．前記反応媒体の少なくとも一部が、前記一方向トレイの少なくとも１個の２つの一般的に反対の位置にある端部を越えて同時に流すことを更に含む態様４４に記載の方法。
態様６４．前記一方向トレイの一般的に反対の位置にある端部が異なった高さに配置されている態様６３に記載の方法。